(57)【要約】      （修正有）【課題】  ゴルフクラブのヘッド及びグリップに付着した汚れを、自動的に落として清掃、除菌、殺菌及び滅菌もできるようにしたゴルフクラブ洗浄装置を提供する。【解決手段】  ゴルフクラブ洗浄装置１００は、洗浄温水供給置１と、送水ポンプと、ヘッド洗浄機構と、グリップ洗浄機構とを備え、ヘッド洗浄機構は、ゴルフクラブ２１のヘッド２１ａを載置する載置台３と、ヘッド２１ａに対して洗浄温水を吐出するヘッド洗浄ノズルと、ヘッド面に摺接しながら往復移動するヘッド洗浄ブラシと、ヘッド面が略水平となるようにゴルフクラブ２１のシャフト２１ｃを載置するシャフト保持部６と、紫外線ランプとを備えた構成を特徴とする。【選択図】図１
2006314981.tif 000002
【特許請求の範囲】
【請求項１】
洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドに対して前記送水ポンプにより圧送された前記洗浄温水を吐出するヘッド洗浄ノズルと、前記ヘッドが前記ヘッド挿入口から挿入されるとき前記ヘッドのヘッド面が略水平となるように前記ゴルフクラブのシャフトを載置するシャフト載置部が番手の異なる前記ゴルフクラブごとに複数設けられたシャフト保持部とを備えたことを特徴とするゴルフクラブ洗浄装置。
【請求項２】
洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドを載置する載置台と、前記ヘッド挿入口から挿入された前記ヘッドに対して前記送水ポンプにより圧送された前記洗浄温水を吐出するヘッド洗浄ノズルと、右利き用ゴルフクラブの前記ヘッドが前記ヘッド挿入口から挿入されるとき前記ヘッドのヘッド面が略水平となるように前記右利き用ゴルフクラブのシャフトを載置するシャフト載置部が番手の異なる前記ゴルフクラブごとに複数設けられた右利き用ゴルフクラブのシャフト保持部と、左利き用ゴルフクラブの前記ヘッドが前記ヘッド挿入口から挿入されるとき前記ヘッドのヘッド面が略水平となるように前記左利き用ゴルフクラブのシャフトを載置するシャフト載置部が番手の異なる前記ゴルフクラブごとに複数設けられ不要時には洗浄装置本体から突出しないように折りたたみ可能な左利き用ゴルフクラブのシャフト保持部とを備えたことを特徴とするゴルフクラブ洗浄装置。
【請求項３】
洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドに対して前記送水ポンプにより圧送された前記洗浄温水を吐出するヘッド洗浄ノズル及び駆動機構により駆動されて前記ヘッドに摺接しながら移動するヘッド洗浄ブラシとが配設されたヘッド洗浄部と、前記ヘッドが前記ヘッド挿入口から挿入されるとき前記ヘッドのヘッド面が略水平となるように前記ゴルフクラブのシャフトを載置するシャフト載置部が番手の異なる前記ゴルフクラブごとに複数設けられたシャフト保持部とを備えたことを特徴とするゴルフクラブ洗浄装置。
【請求項４】
洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドを載置する載置台と、前記ヘッド挿入口から挿入された前記ヘッドに対して前記送水ポンプにより圧送された前記洗浄温水を吐出するヘッド洗浄ノズル及び駆動機構により駆動されて前記ヘッドに摺接しながら往復移動するヘッド洗浄ブラシとが配設されたヘッド洗浄部と、前記ヘッドが前記ヘッド挿入口から挿入されるとき前記ヘッドのヘッド面が略水平となるように前記ゴルフクラブのシャフトを載置するシャフト載置部が番手の異なる前記ゴルフクラブごとに複数設けられたシャフト保持部とを備えたことを特徴とするゴルフクラブ洗浄装置。
【請求項５】
洗浄温水を供給する洗浄温水供給装置と、前記洗浄温水供給装置から供給される前記洗浄温水を圧送する送水ポンプと、ゴルフクラブのヘッドが挿入されるヘッド挿入口を有し前記ヘッド挿入口から挿入された前記ヘッドを載置する載置台、前記ヘッド挿入口から挿入された前記ヘッドに対して前記送水ポンプにより圧送された前記洗浄温水を吐出するヘッド洗浄ノズル及び駆動機構により駆動されて前記ヘッドに摺接しながら往復移動するヘッド洗浄ブラシとが配設されたヘッド洗浄部と、右利き用ゴルフクラブの前記ヘッドが前記ヘッド挿入口から挿入されるとき前記ヘッドのヘッド面が略水平となるように前記右利き用ゴルフクラブのシャフトを載置するシャフト載置部が番手の異なる前記ゴルフクラブごとに複数設けられた右利き用ゴルフクラブのシャフト保持部と、左利き用ゴルフクラブの前記ヘッドが前記ヘッド挿入口から挿入されるとき前記ヘッドのヘッド面が略水平となるように前記左利き用ゴルフクラブのシャフトを載置するシャフト載置部が番手の異なる前記ゴルフクラブごとに複数設けられ不要時には洗浄装置本体から突出しないように折りたたみ可能な左利き用ゴルフクラブのシャフト保持部とを備えたことを特徴とするゴルフクラブ洗浄装置。
【請求項６】
洗浄温水を供給する洗浄温水供給装置と、前記清浄水供給装置から供給される前記洗浄温水を圧送する送水ポンプと、グリップ挿入口から挿入されたゴルフクラブのグリップ側端部を保持すると共に駆動装置により駆動されて前記ゴルフクラブをシャフトの軸心を中心として回転させる回転台と、前記グリップ挿入口から挿入された前記グリップに対して前記送水ポンプにより圧送された前記洗浄温水を吐出するグリップ洗浄ノズルとを備えたことを特徴とするゴルフクラブ洗浄装置。
【請求項７】
洗浄温水を供給する洗浄温水供給装置と、前記洗浄温水供給装置から供給される前記洗浄温水を圧送する送水ポンプと、グリップ挿入口から挿入されたゴルフクラブのグリップ側端部を保持すると共に駆動装置により駆動されて前記ゴルフクラブをシャフトの軸心を中心として回転させる回転台と、前記ゴルフクラブのグリップの全長に亘ってその周囲に配設され回転する前記グリップに摺接するグリップ洗浄ブラシ及び前記グリップ挿入口から挿入された前記グリップに対して前記送水ポンプにより圧送された前記洗浄温水を吐出するグリップ洗浄ノズルとが配設されたグリップ洗浄部とを備えたことを特徴とするゴルフクラブ洗浄装置。
【請求項８】
洗浄温水を供給する洗浄温水供給装置、前記洗浄温水供給装置から供給される前記洗浄温水を圧送する送水ポンプ、ゴルフクラブのヘッドが挿入されるヘッド挿入口を有し前記ヘッド挿入口から挿入された前記ヘッドを載置する載置台、前記ヘッド挿入口から挿入された前記ヘッド面に対して前記送水ポンプにより圧送された前記洗浄温水を吐出するヘッド洗浄ノズル、駆動機構により駆動されて前記ヘッド面に摺接しながら往復移動するヘッド洗浄ブラシが配設されたヘッド洗浄部、及び前記ヘッドが前記ヘッド挿入口から挿入されるとき前記ヘッドのヘッド面が略水平となるように前記ゴルフクラブのシャフトを載置するシャフト載置部が番手の異なる前記ゴルフクラブごとに複数設けられたシャフト保持部からなるヘッド洗浄機構と、グリップ挿入口を備え前記グリップ挿入口から挿入されたゴルフクラブのグリップ側端部を保持すると共に駆動装置により駆動されて前記ゴルフクラブをシャフトの軸心を中心として回転させる回転台、前記ゴルフクラブのグリップの全長にわたってその周囲に配設されて回転する前記グリップに摺接するグリップ洗浄ブラシ、及び前記グリップ挿入口から挿入された前記グリップに対して前記送水ポンプにより圧送された前記洗浄温水を吐出するグリップ洗浄ノズルからなるグリップ洗浄機構とを備え、ゴルフクラブのヘッドと該ゴルフクラブとは別のゴルフクラブのグリップを同時に洗浄可能に構成したことを特徴とするゴルフクラブ洗浄装置。
【請求項９】
前記洗浄温水供給装置は、前記洗浄温水を所定の温度に加温する加熱装置を備えものであることを特徴とする請求項１から請求項８のいずれか１項に記載のゴルフクラブ洗浄装置。
【請求項１０】
前記洗浄温水供給装置は、前記洗浄温水供給装置から供給される前記洗浄温水を殺菌又は除菌する殺菌装置を備えたものであることを特徴とする請求項１から請求項９のいずれか１項に記載のゴルフクラブ洗浄装置。
【請求項１１】
前記ゴルフクラブ洗浄装置は、前記ゴルフクラブのヘッドをを殺菌又は除菌する殺菌装置を備えたものであることを特徴とする請求項１から請求項５のいずれか１項に記載のゴルフクラブ洗浄装置。
【請求項１２】
前記ゴルフクラブ洗浄装置は、前記回転台により保持されて回転する前記ゴルフクラブのグリップを殺菌又は除菌する殺菌装置を備えたものであることを特徴とする請求項６から請求項１０のいずれか１項に記載のゴルフクラブ洗浄装置。
【請求項１３】
前記殺菌装置は、紫外線ランプであることを特徴とする請求項１１又は請求項１２のいずれかに記載のゴルフクラブ洗浄装置。
【請求項１４】
前記洗浄温水は、洗浄剤を含むことを特徴とする請求項１から請求項１３のいずれか１項に記載のゴルフクラブ洗浄装置。
【発明の詳細な説明】
【技術分野】
【０００１】  本発明は、ゴルフクラブ洗浄装置に係り、特にゴルフクラブのクラブヘッド及びグリップを番手ごとに仕分けして挿入でき、かなり高温の洗浄温水を用いて短時間で自動的に洗浄し、しかもすぐに乾いて軽くふくだけですぐにゴルフクラブが使用できるようにし、更にはヘッド及びグリップは、このかなり高温の洗浄温水自体及び殺菌装置により洗浄中に殺菌することもできるようにして、ゴルファーが清潔かつ快適にゴルフを楽しむことができるように、ゴルフ場やゴルフ練習場に設置するのに好適であり、更には例えば１００Ｖの商用電源のコンセントに接続するだけで使用でき、排水工事や水道工事も一切不要で、プレーの前後に洗浄可能という画期的なゴルフクラブ洗浄装置に関する。
【背景技術】
【０００２】  ゴルフ場やゴルフ練習場でゴルフやその練習をすると、ゴルフクラブのクラブヘッドに土や埃が付いたり、グリップが汗などで汚れる。このような汚れは、従来、プレー後に布などで拭き取って清掃するのが一般的であった。しかし、本数が多いすべてのゴルフクラブをきれいにするのは面倒であるばかりでなく、時間がかかり、プレー後の疲れたときにこのような作業を行うのは大変であり、ゴルフの楽しみを半減させるものでもあった。このため、ゴルフクラブの清掃がなおざりになり、ゴルフクラブの管理が不十分となる傾向があった。また、単に布などで拭くだけでは頑固な汚れを落とすことができず、必ずしも十分にきれいすることができない問題があった。特に、粘土質の土がこびりついたクラブヘッドや汗などで汚れたグリップの清掃は困難であった。【０００３】  また最近では、鳥インフルエンザ等の感染症がカラスや渡り鳥等の野鳥の糞から発生・
感染する等のことも報道されており、ゴルフ場の芝やラフには相当量の野鳥、その他の野性動物又はペットの糞等不潔な物又は有毒な残留農薬等が草や土に滲み込んだり落ちていたりする可能性があり、ゴルフのヘッドはこのような不潔な物にその打撃時や歩行時に接触し、これらの物がこびりついてしまう危険性があった。
従って、最近では使用後のゴルフクラブは余り清潔なものではなくなって来ており、これを使用後に、手で拭いて掃除したりすることは、もし何らかの感染症の原因となる不潔物質や危険物質が付着していたとすると、これがゴルファーの手に付いて食事の際に経口摂取したり、吸い込んでしまう危険があり、安全衛生上好ましくない状態となっている。
またゴルフクラブのグリップについては、自分のものであっても、使用により汗や手の油、土、草の汁等が滲み込んだりして、これが原因で次第に不潔となったり、かびが発生して汚染されたりするおそれがあり、またゴルフ練習場のように、色々な人が使い回しする貸しゴルフクラブでは、他人が病原菌を持った手やトイレ後に手を洗わない不潔な手で使用しているかも知れず、ゴルファーはその使用に不安を感じているのが現状である。【０００４】  しかし、従来は、ゴルフクラブのヘッド及びグリップを短時間に自動的に洗浄してくれ、しかも殺菌や除菌までしてくれる優れたゴルフ洗浄装置は全く提供されていなかった。【０００５】  本願発明者及び出願人は、本願発明に係る公知特許文献及び公知非特許文献を知らないので、その記載を省略する。
【発明の開示】
【発明が解決しようとする課題】
【０００６】  本発明は、上記した従来技術の欠点を除くためになされたものであって、その目的とするところは、洗浄温水供給装置と、送水ポンプと、ヘッド挿入口から挿入されたゴルフクラブのヘッドに対して洗浄温水を吐出するヘッド洗浄ノズルと、ヘッド面が略水平となるようにゴルフクラブのシャフトを載置するシャフト載置部が異なる番手ごとに複数設けられたシャフト保持部とを備えることにより、各ゴルフクラブ（一部の番手、例えばパターを除く）をその番手を仕分けして装置に挿入してヘッド洗いができるようにし、例えば１００Ｖの商用電源のコンセントに差し込むだけで使用でき、更には排水や水道工事が全く不要となるようにし、ヘッド挿入口から挿入されたヘッドにヘッド洗浄ノズルから洗浄温水を噴出してヘッドに付着した土などの汚れを短時間で自動的に洗浄できるようにし、またこれによってゴルフクラブのヘッドを常にきれいに清掃し、洗浄中に殺菌又は除菌して、ゴルフクラブを常に清潔に保つことができるようにし、またゴルファーが快適・清潔にゴルフを楽しむことができるようにすることである。また他の目的は、ゴルファーがプレーの前後にゴルフクラブを洗浄でき、しかも軽くふくだけですぐにゴルフクラブが使用できるようにすることである。【０００７】また他の目的は、ヘッド挿入口から挿入されたヘッドを載置台に載置し、ヘッド洗浄ノズルからヘッドに向かって送水ポンプにより圧送された洗浄温水を噴出するようにして、ヘッドに付着していた土などの汚れを洗浄温水と共に載置台から落下させてゴルフクラブのヘッドを容易かつ自動的に清掃できるようにすることである。【０００８】また他の目的は、ゴルフクラブのヘッドをヘッド挿入口から挿入するとき、ヘッド面が略水平となるようにゴルフクラブのシャフトを載置するシャフト載置部が番手の異なるゴルフクラブごとに複数設けられたシャフト保持部を設け、ほとんどすべての番手（パター等一部のゴルフクラブを除く。）のゴルフクラブをヘッド面が略水平状態でヘッド挿入口から挿入できるようにすることによって、ヘッドを確実に清掃できるようにすることである。【０００９】また他の目的は、右利き用ゴルフクラブのシャフト保持部及び左利き用ゴルフクラブのシャフト保持部を個別に配設し、かつ左利き用ゴルフクラブのシャフト保持部を折り畳み可能とすることにより、右利き用及び左利き用ゴルフクラブのいずれのゴルフクラブにも対応できるようにすることである。また他の目的は、使用頻度の少ない左利き用ゴルフクラブのシャフト保持部は、不要時には邪魔にならないように折り畳んで収容できるようして、非常に便利でありながら、省スペース化を図ることである。【００１０】また他の目的は、ヘッド洗浄ノズル及びヘッド洗浄ブラシを備え、ヘッド挿入口から挿入されたヘッドに対してヘッド洗浄ノズルから洗浄温水を噴出しつつ、駆動機構によりヘッド洗浄ブラシをヘッドに摺接させながら移動させ、温水ジェット洗浄及びブラシ洗浄を同時に行うことによって、ヘッドの溝の中まで短時間かつ確実にヘッドを洗浄できるようにすることであり、またこれによってゴルファーが満足できる程度まで完璧にヘッドの洗浄ができるようにすることである。【００１１】更に他の���的は、グリップ挿入口から挿入されたゴルフクラブのグリップ側端部を保持して回転させる回転台と、グリップに対して洗浄温水を噴出するグリップ洗浄ノズルとを備えることにより、すべての番手のゴルフクラブのグリップが洗浄てきるようにし、グリップを回転させながらグリップ洗浄ノズルから洗浄温水を噴出して、該グリップに付着した汗などの汚れを自動的に落として清掃できるようにすることであり、またこれによってグリップを常に清潔に保つことができるようにすると共に、洗浄にかなり高温の洗浄温水を用いることで、洗浄後グリップがすぐに乾くようにして、軽くふくだけで洗浄後直ちにゴルフのプレーや練習ができ、又はバッグに収容できるようにすることである。【００１２】また他の目的は、グリップ挿入口から挿入されたゴルフクラブのグリップ側端部を保持して回転させる回転台と、グリップに対して洗浄温水を噴出するグリップ洗浄ノズルと、グリップの周囲に配設されたグリップ洗浄ブラシとを備え、回転するグリップに対して洗浄温水を噴出させながらグリップ洗浄ブラシをグリップに摺接させて、温水ジェット洗浄及びブラシ洗浄を同時に行うことによって、短時間かつ確実にグリップを洗浄できるようにすることであり、またこれによってゴルファーが満足できる程度まで完璧にグリップを清掃できるようにすることである。【００１３】また他の目的は、ヘッド洗浄機構とグリップ洗浄機構を備え、ヘッド挿入口から挿入されたゴルフクラブのヘッドをヘッド洗浄機構により清掃すると同時に、グリップ挿入口から挿入された他のゴルフクラブのグリップをグリップ洗浄機構により清掃して、複数のゴルフクラブのヘッド及び他の複数のゴルフクラブのグリップを同時に効率よく清掃できるようにすることであり、またこれによってゴルファーの洗浄時の待ち時間を短縮して、ゴルフクラブ全体の清掃が、短時間にしかも楽に完了するようにすることである。【００１４】更に他の目的は、上記構成に加えて洗浄温水の加熱装置を備え、該加熱装置により洗浄温水供給装置から供給される洗浄温水をほとんどの細菌が死滅する程度の高温（例えば６０℃から７５℃程度）まで所定の温度に加温し、加温された洗浄温水を用いて洗浄して洗浄効率を向上させると共に細菌等の不潔物質の殺菌や除菌を洗浄温水自体により行うことができるようにして、洗浄後のゴルフクラブが清潔に保たれるようにすることである。【００１５】また他の目的は、上記構成に加えて、更に洗浄温水供給装置から供給される洗浄温水を殺菌又は除菌する殺菌装置を備え、殺菌又は除菌された清浄な洗浄温水を用いてゴルフクラブのヘッド及びグリップを洗浄することにより、洗浄温水を循環使用しても衛生上の問題がないようにして、他人のゴルフクラブを洗浄した洗浄温水を繰り返し使用してもゴルファーが嫌わず、安心して使用できるゴルフクラブ洗浄装置を提供することである。【００１６】また他の目的は、上記構成に加えて、更に洗浄中のヘッドを殺菌又は除菌する殺菌装置と、回転台に保持されて回転するゴルフクラブのグリップを殺菌又は除菌する殺菌装置を備えることによって、異なるゴルファーによる使用後のゴルフクラブを１台のゴルフクラブ洗浄装置で洗浄しても、ゴルフ練習場など���ように不特定多数の人が使用するゴルフクラブによる万一の細菌感染を防止することである。【００１７】更に他の目的は、洗浄温水に洗浄剤を含ませることにより、頑固な汚れも確実に落として更に洗浄効率を高め、ゴルフクラブを短時間できれいに洗浄できるようにすることである。
【課題を解決するための手段】
【００１８】  要するに本発明（請求項１）は、洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドに対して前記送水ポンプにより圧送された前記洗浄温水を吐出するヘッド洗浄ノズルと、前記ヘッドが前記ヘッド挿入口から挿入されるとき前記ヘッドのヘッド面が略水平となるように前記ゴルフクラブのシャフトを載置するシャフト載置部が番手の異なる前記ゴルフクラブごとに複数設けられたシャフト保持部とを備えたことを特徴とするものである。【００１９】また本発明（請求項２）は、洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドを載置する載置台と、前記ヘッド挿入口から挿入された前記ヘッドに対して前記送水ポンプにより圧送された前記洗浄温水を吐出するヘッド洗浄ノズルと、右利き用ゴルフクラブの前記ヘッドが前記ヘッド挿入口から挿入されるとき前記ヘッドのヘッド面が略水平となるように前記右利き用ゴルフクラブのシャフトを載置するシャフト載置部が番手の異なる前記ゴルフクラブごとに複数設けられた右利き用ゴルフクラブのシャフト保持部と、左利き用ゴルフクラブの前記ヘッドが前記ヘッド挿入口から挿入されるとき前記ヘッドのヘッド面が略水平となるように前記左利き用ゴルフクラブのシャフトを載置するシャフト載置部が番手の異なる前記ゴルフクラブごとに複数設けられ不要時には洗浄装置本体から突出しないように折りたたみ可能な左利き用ゴルフクラブのシャフト保持部とを備えたことを特徴とするものである。【００２０】また本発明（請求項３）は、洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドに対して前記送水ポンプにより圧送された前記洗浄温水を吐出するヘッド洗浄ノズル及び駆動機構により駆動されて前記ヘッドに摺接しながら移動するヘッド洗浄ブラシとが配設されたヘッド洗浄部と、前記ヘッドが前記ヘッド挿入口から挿入されるとき前記ヘッドのヘッド面が略水平となるように前記ゴルフクラブのシャフトを載置するシャフト載置部が番手の異なる前記ゴルフクラブごとに複数設けられたシャフト保持部とを備えたことを特徴とするものである。【００２１】また本発明（請求項４）は、洗浄温水を供給する洗浄温水供給装置と、前記洗浄温水供給装置から供給される前記洗浄温水を圧送する送水ポンプと、ゴルフクラブのヘッドが挿入されるヘッド挿入口を有し該ヘッド挿入口から挿入された前記ヘッドを載置する載置台と、前記ヘッド挿入口から挿入された前記ヘッドに対して前記送水ポンプにより圧送された前記洗浄温水を吐出するヘッド洗浄ノズル及び駆動機構により駆動されて前記ヘッドに摺接しながら往復移動するヘッド洗浄ブラシとが配設されたヘッド洗浄部と、前記ヘッドが前記ヘッド挿入口から挿入されるとき前記ヘッドのヘッ���面が略水平となるように前記ゴルフクラブのシャフトを載置するシャフト載置部が番手の異なる前記ゴルフクラブごとに複数設けられたシャフト保持部とを備えたことを特徴とするものである。【００２２】また本発明（請求項５）は、洗浄温水を供給する洗浄温水供給装置と、前記洗浄温水供給装置から供給される前記洗浄温水を圧送する送水ポンプと、ゴルフクラブのヘッドが挿入されるヘッド挿入口を有し前記ヘッド挿入口から挿入された前記ヘッドを載置する載置台、前記ヘッド挿入口から挿入された前記ヘッドに対して前記送水ポンプにより圧送された前記洗浄温水を吐出するヘッド洗浄ノズル及び駆動機構により駆動されて前記ヘッドに摺接しながら往復移動するヘッド洗浄ブラシとが配設されたヘッド洗浄部と、右利き用ゴルフクラブの前記ヘッドが前記ヘッド挿入口から挿入されるとき前記ヘッドのヘッド面が略水平となるように前記右利き用ゴルフクラブのシャフトを載置するシャフト載置部が番手の異なる前記ゴルフクラブごとに複数設けられた右利き用ゴルフクラブのシャフト保持部と、左利き用ゴルフクラブの前記ヘッドが前記ヘッド挿入口から挿入されるとき前記ヘッドのヘッド面が略水平となるように前記左利き用ゴルフクラブのシャフトを載置するシャフト載置部が番手の異なる前記ゴルフクラブごとに複数設けられ不要時には洗浄装置本体から突出しないように折りたたみ可能な左利き用ゴルフクラブのシャフト保持部とを備えたことを特徴とするものである。【００２３】また本発明（請求項６）は、洗浄温水を供給する洗浄温水供給装置と、前記清浄水供給装置から供給される前記洗浄温水を圧送する送水ポンプと、グリップ挿入口から挿入されたゴルフクラブのグリップ側端部を保持すると共に駆動装置により駆動されて前記ゴルフクラブをシャフトの軸心を中心として回転させる回転台と、前記グリップ挿入口から挿入された前記グリップに対して前記送水ポンプにより圧送された前記洗浄温水を吐出するグリップ洗浄ノズルとを備えたことを特徴とするものである。【００２４】また本発明（請求項７）は、洗浄温水を供給する洗浄温水供給装置と、前記洗浄温水供給装置から供給される前記洗浄温水を圧送する送水ポンプと、グリップ挿入口から挿入されたゴルフクラブのグリップ側端部を保持すると共に駆動装置により駆動されて前記ゴルフクラブをシャフトの軸心を中心として回転させる回転台と、前記ゴルフクラブのグリップの全長に亘ってその周囲に配設され回転する前記グリップに摺接するグリップ洗浄ブラシ及び前記グリップ挿入口から挿入された前記グリップに対して前記送水ポンプにより圧送された前記洗浄温水を吐出するグリップ洗浄ノズルとが配設されたグリップ洗浄部とを備えたことを特徴とするものである。【００２５】また本発明（請求項８）は、洗浄温水を供給する洗浄温水供給装置、前記洗浄温水供給装置から供給される前記洗浄温水を圧送する送水ポンプ、ゴルフクラブのヘッドが挿入されるヘッド挿入口を有し前記ヘッド挿入口から挿入された前記ヘッドを載置する載置台、前記ヘッド挿入口から挿入された前記ヘッド面に対して前記送水ポンプにより圧送された前記洗浄温水を吐出するヘッド洗浄ノズル、駆動機構により駆動されて前記ヘッド���に摺接しながら往復移動するヘッド洗浄ブラシが配設されたヘッド洗浄部、及び前記ヘッドが前記ヘッド挿入口から挿入されるとき前記ヘッドのヘッド面が略水平となるように前記ゴルフクラブのシャフトを載置するシャフト載置部が番手の異なる前記ゴルフクラブごとに複数設けられたシャフト保持部からなるヘッド洗浄機構と、グリップ挿入口を備え前記グリップ挿入口から挿入されたゴルフクラブのグリップ側端部を保持すると共に駆動装置により駆動されて前記ゴルフクラブをシャフトの軸心を中心として回転させる回転台、前記ゴルフクラブのグリップの全長にわたってその周囲に配設されて回転する前記グリップに摺接するグリップ洗浄ブラシ、及び前記グリップ挿入口から挿入された前記グリップに対して前記送水ポンプにより圧送された前記洗浄温水を吐出するグリップ洗浄ノズルからなるグリップ洗浄機構とを備え、ゴルフクラブのヘッドと該ゴルフクラブとは別のゴルフクラブのグリップを同時に洗浄可能に構成したことを特徴とするものである。【００２６】また本発明（請求項９）は、請求項１から請求項８のいずれか１項に記載のゴルフクラブ洗浄装置においては、前記洗浄温水供給装置は、前記洗浄温水を所定の温度に加温する加熱装置を備えことを特徴とするものである。【００２７】また本発明（請求項１０）は、請求項１から請求項９のいずれか１項に記載のゴルフクラブ洗浄装置においては、前記洗浄温水供給装置は、前記洗浄温水供給装置から供給される前記洗浄温水を殺菌又は除菌する殺菌装置を備えたものであることを特徴とするものである。【００２８】また本発明（請求項１１）は、請求項１から請求項５のいずれか１項に記載のゴルフクラブ洗浄装置においては、前記ゴルフクラブ洗浄装置は、前記ゴルフクラブのヘッドをを殺菌又は除菌する殺菌装置を備えたものであることを特徴とするものである。【００２９】また本発明（請求項１２）は、請求項６から請求項１０のいずれか１項に記載のゴルフクラブ洗浄装置においては、ゴルフクラブ洗浄装置は、前記回転台により保持されて回転する前記ゴルフクラブのグリップを殺菌又は除菌する殺菌装置を備えたものであることを特徴とするものである。【００３０】また本発明（請求項１３）は、請求項１１又は請求項１２のいずれかに記載のゴルフクラブ洗浄装置においては、前記殺菌装置は、紫外線ランプであることを特徴とするものである。【００３１】また本発明（請求項１４）は、請求項１から請求項１３のいずれか１項に記載のゴルフクラブ洗浄装置においては、前記洗浄温水は、洗浄剤を含むことを特徴とするものである。
【発明の効果】
【００３２】本発明は、上記のように洗浄温水供給装置と、送水ポンプと、ヘッド挿入口から挿入されたゴルフクラブのヘッドに対して洗浄温水を吐出するヘッド洗浄ノズルと、ヘッド面が略水平となるようにゴルフクラブのシャフトを載置するシャフト載置部が異なる番手ごとに複数設けられたシャフト保持部とを備えたので、各ゴルフクラブ（一部の番手、例えばパターを除く）をその番手を仕分けして装置に挿入してヘッド洗いができる効果があり、また例えば１００Ｖの商用電源のコンセントに差し込むだけで使用できる効果及び排水や水道工事が全く不要となる効果があり、更にヘッド挿入口から挿入されたヘッドにヘッド洗浄ノズルから洗浄温水を噴出してヘッドに付着した土などの汚れを短時間で自動的に洗浄できる効果があり、またこの結果ゴルフクラブのヘッドを常にきれいに清掃し、洗浄中に殺菌又は除菌でき、ゴルフクラブを常に清潔に保つことができる効果があり、またゴルファーが快適・清潔にゴルフを楽しむことができるという効果がある。またゴルファーがプレーの前後にゴルフクラブを洗浄でき、しかも軽くふくだけですぐにゴルフクラブが使用できるという効果がある。【００３３】またヘッド挿入口から挿入されたヘッドを載置台に載置し、ヘッド洗浄ノズルからヘッドに向かって送水ポンプにより圧送された洗浄温水を噴出するようにしたので、ヘッドに付着していた土などの汚れを洗浄温水と共に載置台から落下させてゴルフクラブのヘッドを容易かつ自動的に清掃できるという効果がある。【００３４】またゴルフクラブのヘッドをヘッド挿入口から挿入するとき、ヘッド面が略水平となるようにゴルフクラブのシャフトを載置するシャフト載置部が番手の異なるゴルフクラブごとに複数設けられたシャフト保持部を設け、すべての番手のゴルフクラブをヘッド面が略水平状態でヘッド挿入口から挿入できるようにしたので、ヘッドを確実に清掃できるという効果がある。【００３５】また右利き用ゴルフクラブのシャフト保持部及び左利き用ゴルフクラブのシャフト保持部を個別に配設し、かつ左利き用ゴルフクラブのシャフト保持部を折り畳み可能としたので、右利き用及び左利き用ゴルフクラブのいずれのゴルフクラブにも対応できるという効果がある。また使用頻度の少ない左利き用ゴルフクラブのシャフト保持部は、不要時には邪魔にならないように折り畳んで収容できるようしたので、非常に便利でありながら、省スペース化を図ることができる効果がある。【００３６】またヘッド洗浄ノズル及びヘッド洗浄ブラシを備え、ヘッド挿入口から挿入されたヘッドに対してヘッド洗浄ノズルから洗浄温水を噴出しつつ、駆動機構によりヘッド洗浄ブラシをヘッドに摺接させながら移動させ、温水ジェット洗浄及びブラシ洗浄を同時に行うようにしたので、ヘッドの溝の中まで短時間かつ確実にヘッドを洗浄できるという効果があり、またこの結果ゴルファーが満足できる程度まで完璧にヘッドの洗浄ができるという優れた効果が得られる。【００３７】更には、グリップ挿入口から挿入されたゴルフクラブのグリップ側端部を保持して回転させる回転台と、グリップに対して洗浄温水を噴出するグリップ洗浄ノズルとを備えたので、すべての番手のゴルフクラブのグリップが洗浄てきる効果があり、またグリップを回転させながらグリップ洗浄ノズルから洗浄温水を噴出することで、該グリップに付着した汗などの汚れを自動的に落として清掃できる効果があり、またこの結果グリップを常に清潔に保つことができる効果があると共に、洗浄にかなり高温の洗浄温水を用いることで、洗浄後グリップがすぐに乾くため、軽くふくだけで洗浄後直ちにゴルフのプレーや練習ができ、又はバッグに収容できるという効果がある。【００３８】またグリップ挿入口から挿入されたゴルフクラブのグリップ側端部を保持して回転させる回転台と、グリップに対して洗浄温水を噴出するグリップ洗浄ノズルと、グリップの周囲に配設されたグリップ洗浄ブラシとを備え、回転するグリップに対して洗浄温水を噴出させながらグリップ洗浄ブラシをグリップに摺接させて、温水ジェット洗浄及びブラシ洗浄を同時に行うようにしたので、短時間かつ確実にグリップを洗浄でき効果があり、またこの結果ゴルファーが満足できる程度まで完璧にグリップを清掃できるという優れた効果が得られる。【００３９】またヘッド洗浄機構とグリップ洗浄機構を備えたので、ヘッド挿入口から挿入されたゴルフクラブのヘッドをヘッド洗浄機構により清掃すると同時に、グリップ挿入口から挿入された他のゴルフクラブのグリップをグリップ洗浄機構により清掃でき、複数のゴルフクラブのヘッド及び他の複数のゴルフクラブのグリップを同時に効率よく清掃できるという効果があり、またこの結果ゴルファーの洗浄時の待ち時間を短縮して、ゴルフクラブ全体の清掃が、短時間にしかも楽に完了するという画期的な効果が得られる。【００４０】更には、上記構成に加えて洗浄温水の加熱装置を備えたので、該加熱装置により洗浄温水供給装置から供給される洗浄温水をほとんどの細菌が死滅する程度の高温（例えば６０℃から７５℃程度）まで所定の温度に加温し、加温された洗浄温水を用いて洗浄して洗浄効率を向上させると共に細菌等の不潔物質の殺菌や除菌を洗浄温水自体により行うことができるという効果があり、洗浄後のゴルフクラブが清潔に保たれるという効果がある。【００４１】また上記構成に加えて、更に洗浄温水供給装置から供給される洗浄温水を殺菌又は除菌する殺菌装置を備えたので、殺菌又は除菌された清浄な洗浄温水を用いてゴルフクラブのヘッド及びグリップを洗浄することができるため、洗浄温水を循環使用しても衛生上の問題がなくなる効果があり、他人のゴルフクラブを洗浄した洗浄温水を繰り返し使用してもゴルファーが嫌わず、安心して使用できるゴルフクラブ洗浄装置を提供することができるという効果が得られる。【００４２】また上記構成に加えて、更に洗浄中のヘッドを殺菌又は除菌する殺菌装置（例えば水銀ランプ）と、回転台に保持されて回転するゴルフクラブのグリップを殺菌又は除菌する殺菌装置（例えば水銀ランプ）を備えたので、異なるゴルファーによる使用後のゴルフクラブを１台のゴルフクラブ洗浄装置で洗浄しても、ゴルフ練習場などのように不特定多数の人が使用するゴルフクラブによる万一の細菌感染を防止できる効果がある。【００４３】更には、洗浄温水に洗浄剤を含ませたので、頑固な汚れも確実に落として更に洗浄効率を高め、ゴルフクラブを短時間できれいに洗浄できるという効果がある。
【発明を実施するための最良の形態】
【００４４】  以下本発明を図面に示す実施例に基づいて説明する。図１から図４において、本発明に係るゴルフクラブ洗浄装置１００は、洗浄温水供給装置の一例たる貯留タンク１と、送水ポンプ２と、ヘッド洗浄機構１０と、グリップ洗浄機構２０とを備えている。【００４５】  ヘッド洗浄機構１０は、載置台３と、ヘッド洗浄ノズル４と、ヘッド洗浄ブラシ５と、シャフト保持部６とを備えている。【００４６】  またグリップ洗浄機構２０は、回転台１１と、グリップ洗浄ブラシ１２と、グリップ洗浄ノズル１３とを備えている。【００４７】  ゴルフクラブ洗浄装置１００の板金製の筐体内部は、２枚の仕切り板１７（１７Ａ，１７Ｂ）によって上下方向に３段に区分されており、下段に貯留タンク１が配設され、中段にヘッド洗浄機構１０及び送水ポンプ２が配設され、上段にグリップ洗浄機構２０が配設されている。下段の仕切り板１７Ｂは、貯留タンク１の上方に位置して開口７３が形成されている。【００４８】  洗浄温水供給装置である貯留タンク１は、ゴルフクラブ洗浄装置１００の下部に配置されており、ゴルフクラブ２１を洗浄する清浄な洗浄温水２２が貯留されている。ここでいう清浄な洗浄温水とは、ゴルフクラブ２１のヘッド２１ａ及びグリップ２１ｂ、特にグリップ２１ｂを不快感なく使用可能な程度に洗浄できるものであればよく、水道水（飲料水）ほどの清浄度は必ずしも要求されない。ただし、農薬や感染性のある細菌類などは除去されていることが望ましく、また循環させて繰り返し使用できる程度の清浄度が望ましい。【００４９】  清浄な洗浄温水を得る手段としては、多数の方法が可能であり、例えば、貯留タンク１に貯留された洗浄温水２２の水位を検出可能な水位センサ（図示せず）を配設し、蛇口から水道水を水位一定となるように自動的に供給するようにしてもよい。或いは、給湯器（図示せず）から加温された洗浄温水２２を供給するようにしてもよい。この場合、ゴルフクラブ２１のヘッド２１ａ及びグリップ２１ｂを洗浄した洗浄温水２２は、排水溝に排水して捨てるようにしてもよい。【００５０】  また、貯留タンク１に貯留した洗浄温水２２を循環使用する場合は、洗浄温水２２に含まれる土や農薬等の塵埃を除去するフィルタ及び洗浄温水２２を殺菌又は除菌する殺菌装置等を、洗浄温水２２の循環路中に設置してもよい。具体的な構成については、後述する。【００５１】  洗浄温水２２には、洗浄力を高めるために、洗浄剤を添加してもよい。洗浄剤は、防錆効果を有するものが望ましく、例えば、日本メカケミカル株式会社製の製品名「メカジェットウォッシュ」が有効である。【００５２】  また貯留タンク１は、発熱部（図示せず）が洗浄温水２２中に水没するように加熱装置である投込みヒータ２３が配置され、投込みヒータ２３に通電して貯留タンク１内に貯留された洗浄温水２２を所定の温度に加温するようになっている。投込みヒータ２３は、制御装置７０に設けられた温度制御装置（図示せず）により自動的に水温が設定された温度、例えば５０℃から７５℃以上となるように制御される。なお洗浄温水２２中の細菌類を熱により殺菌又は除菌する場合は、水温を例えば、７５℃以上に設定することが望ましい。
なお、本願特許請求の範囲及び明細書でいう「洗浄温水」には、「高温の蒸気」が含まれる。高温の蒸気は、圧力容器であるボイラを使用しなくても、水を霧状に噴霧してこの霧を電熱器を通すことにより瞬時に蒸気化することができる装置が市販されているので、これを用いることにより、ボイラによらない低圧、高温の蒸気を得ることができるから、このような電熱式瞬間蒸気発生器を使用すれば、圧力容器に関する法的規制を受けることなく、液体の洗浄温水に代えて例えば９０℃以上の高温の蒸気を安全に使用することができる。
そして液体の洗浄温水のほか、高温の蒸気によりゴルフクラブのヘッド２１ａ及びグリップ２１ｂを洗浄すると共に、殺菌及び滅菌するようにしてもよい。【００５３】  送水ポンプ２は、貯留タンク１内に貯留された洗浄温水２２を吸い上げて圧送するためのものであって、電気モータとポンプが一体に組み付けられた公知のポンプ装置であり、例えば、吐出量７リットル／ｍｉｎ、吐出圧３．５ＭＰａのポンプ性能を有する自吸式ポンプである。【００５４】  図８から図１０も参照して、ゴルフクラブ洗浄装置１００の中段に配設されたヘッド洗浄機構１０は、載置台３と、ヘッド洗浄ノズル４と、ヘッド洗浄ブラシ５と、シャフト保持部６と、殺菌装置の一例たる紫外線ランプ７（７Ａ）とを備えている。
載置台３は、例えばステンレス鋼の金網製であり、底面３ａ及び該底面３ａの３辺に立設された側壁３ｂを有し、一方の側面が開放されて形成されている。開放され側面は、ゴルフクラブ洗浄装置１００の前面カバー２４に貫通して設けられた略矩形穴である複数のヘッド挿入口２５に対向して前面カバー２４の裏面側に固定されている。【００５５】  ヘッド挿入口２５は、ゴルフクラブ２１の番手に応じて複数の挿入口が形成されている。図１に示す実施形態においては、３番アイアンから５番アイアン（図１等の装置上の表示記号で、３は３番アイアンを、４は４番アイアンを、５は５番アイアンを夫々示す。）のゴルフクラブ２１のヘッド２１ａ、６番アイアンから９番アイアン（図１等の装置上の表示記号で、６は６番アイアンを、７は７番アイアンを、８は８番アイアンを、９は９番アイアンを夫々示す。）のゴルフクラブ２１のヘッド２１ａ、及びサンドエッジ（装置上の表示記号はＳ）、アプローチ（装置上の表示記号はＡ）及びパター（装置上の表示記号はＰ）のヘッド２１ａ、がそれぞれ挿入される３つのヘッド挿入口２５（２５Ａ，２５Ｂ，２５Ｃ）が形成されている。また、前面カバー２４の表面側には、ヘッド挿入口２５の下方に受け板２６が配置されている。【００５６】  ヘッド洗浄ノズル４及びヘッド洗浄ブラシ５は、可動台２８に固定されている。可動台２８は、上段の仕切り板１７Ａに固定された支持板２９に配設された直動ガイドレール３０により支持されて、図４において左右方向に移動可能となっている。一方、電動モータ３１の回転軸に固定されて回転する駆動円盤３２は、その中心から偏心した位置に連結ロッド３３の一端が連結され、該連結ロッド３３の他端が可動台２８に連結されている。これにより、電動モータ３１が回転すると、該回転は駆動円盤３２、連結ロッド３３を介して可動台２８に伝達されて、ヘッド洗浄ノズル４及びヘッド洗浄ブラシ５を水平方向（図４において左右方向）に往復移動させる。【００５７】  ヘッド洗浄ノズル４は、載置台３の上下に水平に配設され、導水穴４ｂが軸方向に形成された一対のパイプであり、該パイプの上面及び下面に複数の小さな吐出穴４ａが、それぞれ載置台３に向けて形成されている。即ち、吐出穴４ａは、ヘッド挿入口２５からゴルフクラブ２１のヘッド２１ａが挿入されたとき、ヘッド２１ａに対向する。各ヘッド洗浄ノズル４の導水穴４ｂは、電磁弁３９を介して送水ポンプ２の吐出口にパイプ３４により接続されている。そして送水ポンプ２から圧送された洗浄温水２２が、吐出穴４ａからヘッド２１ａに向けて噴出するようになっている。【００５８】  ヘッド洗浄ブラシ５は、可動台２８に固定されたブラシ本体５ａに、線径０．４ｍｍ程度の多数のナイロン線からなるブラシ５ｂが載置台３の上方から下方に向けて植設されており、ヘッド挿入口２５から挿入されたヘッド２１ａのヘッド面に摺接するようになっている。【００５９】  図４、図８及び図９に示すように、洗浄中のヘッド２１ａを殺菌するための紫外線ランプ７（７Ａ）は、ヘッド２１ａに対してその光線が届く適所に配設されており、洗浄中のヘッド２１ａ及びその周囲を殺菌できるようになっている。なお、紫外線ランプ７Ａの設置位置��、図示の位置に限定されるものではなく、洗浄中のヘッド２１ａになるべく近い位置であって、これを十分に殺菌できる位置に配設するのが望ましい。【００６０】  シャフト保持部６は、図１及び図２において、ヘッド２１ａがヘッド挿入口２５に挿入されるとき、ゴルフクラブ２１のシャフト２１ｃを支持してヘッド面を水平に保持するためのものであって、略Ｖ字形板である支持基板３６がゴルフクラブ洗浄装置１００の前面カバー２４に固定されている。支持基板３６には、３本の支持バー３８（３８Ａ，３８Ｂ，３８Ｃ）がゴルフクラブ洗浄装置１００の前方に突出して固定されている。【００６１】  ３本の支持バー３８は、ゴルフクラブ２１の番手に対応して設けられたものであり、支持バー３８Ａは３番アイアンから５番アイアンのゴルフクラブ２１に、支持バー３８Ｂは６番アイアンから９番アイアンのゴルフクラブ２１に、また支持バー３８Ｃはサンドエッジ（装置上の表示記号はＳ）、アプローチ（装置上の表示記号はＡ）及びパター（装置上の表示記号はＰ）に使用される。夫々の支持バー３８（３８Ａ，３８Ｂ，３８Ｃ）には、溝状のシャフト載置部３８ａが形成され、該シャフト載置部３８ａにシャフト２１ｃを載せてゴルフクラブ２１を支持するように構成されている。【００６２】  そして洗浄するゴルフクラブ２１の番手により、対応する番号が表示されているヘッド挿入口２５（２５Ａ，２５Ｂ，２５Ｃ）にヘッド２１ａを挿入し、対応する番号が表示されている支持バー３８（３８Ａ，３８Ｂ，３８Ｃ）のシャフト載置部３８ａにシャフト２１ｃを載せると、自動的にゴルフクラブ２１のヘッド面が水平になるように設定されている。なお図１及び図２において、シャフト保持部６は、右利き用ゴルフクラブ２１のシャフト保持部６である。【００６３】  左利き用ゴルフクラブのシャフト保持部４１は、折り畳み可能であり、図５から図７において、ゴルフクラブ洗浄装置１００の左側に配設されている。具体的には、ゴルフクラブ洗浄装置１００の左側壁４０に、略Ｙ字形の支持バー４２がヒンジ４４によって水平方向に回動可能に配設されている。略Ｙ字形の支持バー４２の一方の腕には、支持バー４３（４３Ａ，４３Ｂ，４３Ｃ）のうち、第１の支持バー４３Ａが垂直方向から水平方向に略９０°回動可能に配設され、他方の腕には、第２の支持バー４３Ｂ、第３の支持バー４３Ｃが垂直方向から水平方向に略９０°回動可能に配設されている。【００６４】  支持バー４３Ａ、４３Ｂ，４３Ｃには、それぞれ溝状のシャフト載置部４３ａが形成されている。第１支持バー４３Ａは３番アイアンから５番アイアンのゴルフクラブ２１に、第２支持バー４３Ｂは６番アイアンから９番アイアンのゴルフクラブ２１に、また第３の支持バー４３Ｃはサンドエッジ（装置上の表示記号はＳ）、アプローチ（装置上の表示記号はＡ）及びパター（装置上の表示記号はＰ）に使用される。【００６５】  なお、左利き用ゴルフクラブ２１のヘッド２１ａを挿入するヘッド挿入口２５（２５Ａ，２５Ｂ，２５Ｃ）は、右利き用ゴルフクラブ２１と左右逆になるが（即ち、右利き用ゴルフクラブのヘッド挿入口２５Ａは左利き用ゴルフクラブのヘッド挿入口２５Ｃに相当、右利き用ゴルフクラブのヘッド���入口２５Ｃは左利き用ゴルフクラブのヘッド挿入口２５Ａに相当、ヘッド挿入口２５Ｂは右利き、左利き共用）、図には煩雑化を避けるために右利き用ゴルフクラブ２１に対応する番号のみを示す。【００６６】  左利き用ゴルフクラブのシャフト保持部４１は、通常（不使用時）、支持バー４３Ａ、４３Ｂ，４３Ｃを垂直方向に立てた状態で左側壁４０に沿わせて配置し、押さえ板４７で抑えて収納されており（図５参照）、使用時に押さえ板４７から外して支持バー４２をゴルフクラブ洗浄装置１００の前面２４と平行になるまで略９０°回動させ、更に第１の支持バー４３Ａ及び第２の支持バー４３Ｂ、第３の支持バー４３Ｃを略９０°回動させて前方に突出させて使用する（図６及び図７参照）ようになっている。【００６７】  次に、グリップ洗浄機構２０について説明すると、図３、図４及び図１１から図１３において、上段に配設されたグリップ洗浄機構２０は、回転台１１と、グリップ洗浄ブラシ１２と、グリップ洗浄ノズル１３と、殺菌装置の一例たる紫外線ランプ７（７Ｂ）とを備えている。
回転台１１は、ゴルフクラブ２１をシャフト２１ｃの軸心を中心として回転させるためのものであって、仕切り板１７Ａに固定された支持台４５に、軸受４６によって回動自在に配設された複数（図に示す実施形態においては３個）の段付き軸状部材である。【００６８】  大径部である回転台１１の上部には、円形凹部４８が形成されており、ゴルフクラブ２１のグリップ２１ｂが該円形凹部４８に嵌合するようになっている。また、各々の回転台１１にはプーリ４９が夫々固定されており、該プーリ４９と駆動装置５１のプーリ５２との間にベルト５０が巻き掛けられている。また支持台４５には、回転しながらベルト５０を押圧してベルト張力を適正に調節するテンショナー５３が配設されている。【００６９】  ゴルフクラブ洗浄装置１００の天板５５には、各回転台１１の真上に位置してグリップ挿入口５６が形成されている。各回転台１１には、回転台１１を中心に収容するパイプ状カバー５４が支持台４５に固定されている。パイプ状カバー５４に軸方向に形成されたスリットには、グリップ２１ｂの全長にわたってグリップ洗浄ブラシ１２がグリップ２１ｂに摺接するように配設されている。具体的には、グリップ２１ｂの全長の略１／３の長さを有する３本のグリップ洗浄ブラシ１２が、１２０°間隔で、かつ軸方向に離間して配設されている。グリップ洗浄ブラシ１２は、例えば線径０．３ｍｍ程度の多数のナイロン線が植設されたものである。【００７０】  更に、グリップ２１ｂと平行にグリップ洗浄ノズル１３が配設されている。グリップ洗浄ノズル１３の吐出穴１３ａは、グリップ２１ｂに対向してあけられており、送水ポンプ２により圧送された洗浄温水２２をパイプ３４、電磁弁３９を介して吐出穴１３ａからグリップ２１ｂに向けて噴出するようになっている。【００７１】  図３及び図１１から図１３に示すように、洗浄中のグリップ２１ｂを殺菌するための紫外線ランプ７Ｂは、グリップ２１ｂに対してその光線が届く適所、例えば図示のようにパイプ状カバー５４の内部に配設されており、洗浄中のグリップ２１ｂ及びその周囲を殺菌できるようになっている。なお、紫外線ランプ７Ｂの設置位置は、図示の位置に限定されるものではなく、洗浄中のグリップ２１ｂになるべく近い位置であって、これを十分に殺菌できる位置に配設するのが望ましい。【００７２】  送水ポンプ２、投込みヒータ２３、電気モータ３１、電磁弁３９、駆動装置５１などは制御装置７０により制御されるようになっている。制御装置７０は、切り替えスイッチ、ボタン式スイッチなどの操作部７１を備えている。【００７３】  図１４において、ゴルフクラブ洗浄装置１００の配管系統について説明すると、貯留タンク１に貯留され、投込みヒータ２３で所定の温度に加温された洗浄温水２２は、送水ポンプ２によりパイプ３４及び電磁弁３９を介してヘッド洗浄ノズル４及びグリップ洗浄ノズル１３に圧送されて各々の吐出穴４ｂ，１３ａから噴出するようになっている。なお、電磁弁３９は、ヘッド洗浄ノズル４に接続されたパイプ３４及びグリップ洗浄ノズル１３に接続されたパイプ３４に個別に設けられている。これにより、ヘッド洗浄ノズル４及びグリップ洗浄ノズル１３の一方のノズル、或いは両方���ノズルから洗浄温水２２を噴出するように制御して使用するヘッド洗浄ノズル４及び／又はグリップ洗浄ノズル１３から洗浄温水２２を噴出することができるようになっている。【００７４】  また貯留タンク１に洗浄温水２２を貯留して循環使用する場合は、図１４に破線で示すように、送水ポンプ２の吸水側にフィルタ６１を設置し、また送水ポンプ２の吐出側管路中に殺菌装置、例えば、紫外線ランプ７Ｃ等を設置してもよい。これにより、洗浄温水２２に含まれる土などの塵埃を除去した後、洗浄温水２２中の細菌類が殺菌又は除菌されるようにすることができる。殺菌装置は、紫外線ランプ７Ｃに限定されず、オゾンにより洗浄温水２２を殺菌又は除菌するオゾン発生装置であってもよく、またオゾンと紫外線との組合せによる殺菌装置、塩素殺菌する塩素系薬剤供給装置等を、適宜使用することができる。【００７５】  本発明は、上記のように構成されており、以下その作用について説明する。まず図１において、ゴルフクラブ２１（右利き用）のヘッド２１ａをヘッド挿入口２５から挿入して載置台３上に載せながら、同時にゴルフクラブ２１のシャフト２１ｃを、シャフト保持部６の支持バー３８に形成されたシャフト載置部３８ａに載せる。【００７６】  このとき、洗浄するゴルフクラブ２１の番手により、対応する番号が表示されているヘッド挿入口２５（２５Ａ，２５Ｂ，２５Ｃ）にヘッド２１ａを挿入すると共に、対応する番号が表示されている支持バー３８（３８Ａ，３８Ｂ，３８Ｃ）にシャフト２１ｃを載せる。即ち、３番アイアンから５番アイアンのゴルフクラブ２１はヘッド挿入口２５Ａ及び支持バー３８Ａに、６番アイアンから９番アイアンのゴルフクラブ２１はヘッド挿入口２５Ｂ及び支持バー３８Ｂに、サンドエッジ（Ｓ）、アプローチ（Ａ）及びパター（Ｐ）はヘッド挿入口２５Ｃ及び支持バー３８Ｃに載せる。これにより、自動的にゴルフクラブ２１のヘッド面が水平状態となる。【００７７】  またゴルフクラブ２１（右利き用、左利き用の区別はない）のグリップ２１ｂをグリップ挿入口５６から挿入して回転台１１の円形凹部４８に嵌合させて保持するようにして、セットする。【００７８】  次いで、制御装置７０の操作部７１を操作して運転を開始すると、投込みヒータ２３に通電されて貯留タンク１内に貯留された洗浄温水２２が所定の温度、例えば５０℃、６０℃、７５℃となるように加温される。洗浄温水２２の温度が所定の温度に達すると、図９、図１３及び図１４において、送水ポンプ２は、フィルタ６１を介して洗浄温水２２を吸い上げて矢印Ａ方向に圧送し、紫外線ランプ７Ｃで殺菌されてからヘッド洗浄ノズル４の吐出穴４ａ及びグリップ洗浄ノズル１３の吐出穴１３ａから、夫々ヘッド２１ａの上下面及びグリップ２１ｂに向けて勢いよく噴出する。【００７９】  このとき、洗浄温水２２が循環使用されるゴルフクラブ洗浄装置１００においては、フィルタ６１によって洗浄温水２２に含まれる土などの麈埃が除去されて送水ポンプ２で圧送され、更に紫外線ランプ７Ｃから照射される紫外線により洗浄温水２２が殺菌又は除菌されて、ヘッド洗浄ノズル４及びグリップ洗浄ノズル１３に供給されるので、極めて清潔であり、衛生的である。【００８０���  同時に、図１０において、電動モータ３１が回転して駆動円盤３２を矢印Ｂ方向に回転させると、該回転は連結ロッド３３を介して可動台２８を矢印Ｃ，Ｄ方向に往復移動させる。これにより、可動台２８に固定されているヘッド洗浄ノズル４及びヘッド洗浄ブラシ５も矢印Ｃ，Ｄ方向に往復移動する。即ち、ヘッド洗浄ノズル４及びヘッド洗浄ブラシ５は、図８及び図９において、左位置と右位置との間を往復移動する。【００８１】  従って、ヘッド洗浄ノズル４から噴出する洗浄温水２２は、ヘッド２１ａのすべての面に満遍なく噴出し、更にヘッド洗浄プラシ５がヘッド２１ａのヘッド面に摺接してヘッド２１ａに付着していた土等の汚れを除去する。上記したように、ヘッド２１ａは、洗浄温水２２の強力ジェット、及びヘッド洗浄ブラシ５による機械的摩擦により汚れが落とされるので、土などがこびり付いた頑固な汚れでも確実に除去してきれいにすることができる。また、ヘッド洗浄ノズル４からの温水ジェットだけで洗浄する場合、吐出穴４ａの径を小さくして細く強力なジェットとすることにより、ヘッド２１ａの溝中に付着した土などの頑固な汚れも強力に除去することができる。【００８２】  更に、図１２及び図１３において、駆動装置５１が回転し、プーリ５２、ベルト５０及びプーリ４９を介して回転台１１が矢印Ｅ方向に回転する。これにより、グリップ挿入口５６から挿入されてグリップ２１ｂが回転台１１に保持されているゴルフクラブ２１は、シャフト２１ｃの軸心を中心として矢印Ｆ方向に回動し（図２参照）、グリップ洗浄ブラシ１２が矢印Ｆ方向に回転するグリップ２１ｂに摺接する。【００８３】  このとき、同時にグリップ洗浄ノズル１３の吐出穴１３ａから洗浄温水２２がグリップ２１ｂに向けて噴出しており、グリップ２１ｂは、洗浄温水２２の強力ジェット及びグリップ洗浄ブラシ１２による機械的摩擦により汚れが確実に落とされる。
グリップ洗浄ブラシ１２を用いずにグリップ洗浄ノズル１３だけで洗浄する場合、吐出穴１３ａの径を小さくして細く強力なジェットとすることにより、グリップ２１ｂ内に入り込んだ頑固な汚れも除去することができる。【００８４】  またグリップ２１ｂは、紫外線ランプ７Ｂから照射される紫外線により、殺菌又は除菌される。これにより、グリップ２１ｂを介しての万一の細菌感染を防止することができる。このような殺菌装置は、特に、不特定多数の人が使用するゴルフ練習場等に用意されているゴルフクラブ２１に有効であり、ゴルファーは安心して快適にゴルフの練習をすることができる。【００８５】  このようにヘッド２１ａ及びグリップ２１ｂが清掃されたゴルフクラブ２１は、ゴルフクラブ洗浄装置１００から取り出される際には、洗浄温水２２の温度が、例えば５０℃から７５℃と相当高いので、ヘッド２１ａ及びグリップ２１ｂがかなり温められており、この結果多少付着している水分を布等で軽く拭くことで除去すれば、洗浄後、直ちに練習やプレーをしたり、ゴルフバッグに収容することができる。【００８６】  ヘッド洗浄ノズル４及びグリップ洗浄ノズル１３から噴出してゴルフクラブ２１のヘッド２１ａ及びグリップ２１ｂを洗浄した洗浄温水２２は、下段の仕切り板１７Ｂ上に滴下して集められ、洗浄温水２２を循環使用する場合は、開口７３から貯留タンク１に流下して再利用され、循環使用しない場合は排水溝に排水される。なお、開口７３の下流側にフィルタ装置（図示せず）などを配設して、流下する洗浄温水２２中の土などの異物を予め除去することが好ましい。また、洗浄温水２２を循環使用する場合、洗浄温水２２は一定期間ごとに交換するのが望ましい。【００８７】  左利き用ゴルフクラブ２１の洗浄を行う場合は、図５から図７において、ゴルフクラブ洗浄装置１００の左側壁４０に沿って折り畳まれて収納されていたシャフト保持部４１の支持バー４２をゴルフクラブ洗浄装置１００の前面２４と平行になるまで略９０°回動させ、更に第１支持バー４３Ａ及び第２、第３支持バー４３Ｂ，４３Ｃを略９０°回動させてて前方に突出させる。そして、右利き用ゴルフクラブ２１と同様に、ゴルフクラブ２１の番手に対応する番号が記されているヘッド挿入口２５Ａ，２５Ｂ，２５Ｃにヘッド２１ａを挿入しながら、対応する番号が記されている支持バー４３Ａ、４３Ｂ，４３Ｃのシャフト載置部４３ａにシャフト２１ｃを載せる。これにより、左利き用ゴルフクラブ２１のヘッド２１ａは、水平状態で載置台３上に載置される。【００８８】  本発明のゴルフクラブ洗浄装置１００による１サイクルの洗浄時間は、約３０秒程度であり、かつ同時に複数本（図に示す実施形態では３本のヘッドと３本のグリップ、合計６本）のゴルフクラブ２１を洗浄することができ、極めて短時間ですべてのゴルフクラブ２１を洗浄し、かつ殺菌又は除菌することが可能となる。【００８９】  このようなゴルフクラブ洗浄装置１００をゴルフ場やゴルフ練習場に設置しておき、ゴルファー自身が自由に使えるようにしておけば、快適に練習やプレーを楽しむことができる。またゴルフクラブ洗浄装置１００に料金徴収装置（図示せず）を設置しておき、有料としてもよい。【００９０】  なお、上記実施例においては、ゴルフクラブ洗浄装置１００は、ヘッド洗浄機構１０とグリップ洗浄機構２０を有するものとして説明したが、どちらか一方だけの洗浄機構を備えるようにしてもよい。更に、各洗浄機構は、洗浄ブラシ付の洗浄ノズル又は洗浄ノズルのみを備えたものであってもよい。洗浄ノズルからの温水ジェットだけで洗浄する場合、吐出穴の径を小さくして細く強力なジェットとすることにより、ヘッド２１ａの溝中に付着した土や、グリップ２１ｂ内に入り込んだ汚れ等も強力に除去することができる。
【図面の簡単な説明】
【００９１】
【図１】本発明に係るゴルフクラブ洗浄装置に、右利き用ゴルフクラブがセットされた状態を示す正面図である。
【図２】図１に示すゴルフクラブ洗浄装置の平面図である。
【図３】ゴルフクラブ洗浄装置の内部機構を示す正面図である。
【図４】ゴルフクラブ洗浄装置の内部機構を示す左側面図である。
【図５】左利き用ゴルフクラブのシャフト保持部が折り畳まれて収納された状態を示すゴルフクラブ洗浄装置の左側面図である。
【図６】左利き用ゴルフクラブのシャフト保持部が展開されて左利き用ゴルフクラブがセットされた状態を示す正面図である。
【図７】図６に示すゴルフクラブ洗浄装置の平面図である。
【図８】ヘッド洗浄機構の平面図である。
【図９】図８に示すヘッド洗浄機構の要部拡大平面図である。
【図１０】図８に示すヘッド洗浄機構の要部拡大平面図である。
【図１１】グリップ洗浄機構の拡大正面図である。
【図１２】グリップ洗浄機構の平面図である。
【図１３】図１２に示すグリップ洗浄機構の要部拡大平面図である。
【図１４】ゴルフクラブ洗浄装置の配管系統を示す概略図である。
【符号の説明】
【００９２】    １    洗浄温水供給装置の一例たる貯留タンク
２    送水ポンプ
３    載置台
４    ヘッド洗浄ノズル
６    右利き用ゴルフクラブのシャフト保持部
７    殺菌装置の一例たる紫外線ランプ
１０    ヘッド洗浄機構
１１    回転台
１２    グリップ洗浄ブラシ
１３    グリップ洗浄ノズル
２０    グリップ洗浄機構
２１    ゴルフクラブ
２１ａ  ヘッド
２１ｂ  グリップ
２１ｃ  シャフト
２２    洗浄温水
２３    加熱装置の一例たる投げ込みヒータ
２５（２５Ａ，２５Ｂ，２５Ｃ）
ヘッド挿入口
３１    駆動機構の一例たる電動モータ
３８ａ  シャフト載置部
４１    左利き用ゴルフクラブのシャフト保持部
４３ａ  シャフト載置部
５１    駆動装置
５６    グリップ挿入口
１００    ゴルフクラブ洗浄装置
【図１】
2006314981.tif 000003
【図２】
2006314981.tif 000004
【図３】
2006314981.tif 000005
【図４】
2006314981.tif 000006
【図５】
2006314981.tif 000007
【図６】
2006314981.tif 000008
【図７】
2006314981.tif 000009
【図８】
2006314981.tif 000010
【図９】
2006314981.tif 000011
【図１０】
2006314981.tif 000012
【図１１】
2006314981.tif 000013
【図１２】
2006314981.tif 000014
【図１３】
2006314981.tif 000015
【図１４】
2006314981.tif 000016